(57)【要約】【課題】街路灯から表示筐体に至るまで、いかなる支持物にも取付可能な汎用性を備え、しかも外照方式、内照方式いずれにも対応することができる太陽電池モジュール付照明装置及びこれを用いた表示装置を提供する。【解決手段】支持物１８に取り付けられる取付部材１２と、この取付部材１２の一端側に設けられた太陽電池モジュール１０と、取付部材１２の他端側に設けられ、太陽電池モジュール１０から供給される電力で点灯する照明体１５とを備える。【選択図】図１
2013045716.tif 000002
【特許請求の範囲】
【請求項１】
太陽電池モジュールと、
前記太陽電池モジュールを支持物に取り付ける取付部材と、
前記太陽電池モジュールから供給される電力で点灯する照明体とを有する太陽電池モジュール付照明装置であって、
前記太陽電池モジュールが前記取付部材の一端側に設けられ、前記照明体が前記取付部材の他端側に設けられたことを特徴とする太陽電池モジュール付照明装置。
【請求項２】
請求項１に記載の太陽電池モジュール付照明装置であって、
前記取付部材は、相互に摺動可能且つ任意の姿勢で固定可能に連結された少なくとも２つの分割体から構成されたことを特徴とする太陽電池モジュール付照明装置。
【請求項３】
請求項１又は２に記載の太陽電池モジュール付照明装置であって、
太陽電池モジュールには、前記太陽電池モジュールによって供給された電力を蓄電する蓄電池と、前記蓄電池の出力を制御する充放電制御回路と、
を備えたことを特徴とする太陽電池モジュール付照明装置。
【請求項４】
内部光源により照明される情報表示部を備えた表示筐体に請求項１又は２に記載の太陽電池モジュール付照明装置が前記取付部材を介して取り付けられた表示装置であって、
前記内部光源として前記太陽電池モジュール付照明装置の照明体が用いられるとともに、太陽電池モジュール付照明装置の太陽電池モジュールが前記表示筐体の外部に配されたことを特徴とする表示装置。
【請求項５】
請求項４に記載の表示装置であって、
前記太陽電池モジュール付照明装置の太陽電池モジュールによって供給された電力を蓄電する蓄電池と、この蓄電池の出力を制御する充放電制御回路とが前記表示筐体に設けられたことを特徴とする表示装置。
【請求項６】
内部光源により照明される情報表示部を備えた表示筐体に請求項３に記載の太陽電池モジュール付照明装置が前記取付部材を介して取り付けられた表示装置であって、
前記内部光源として前記太陽電池モジュール付照明装置の照明体が用いられるとともに、太陽電池モジュール付照明装置の太陽電池モジュールが前記表示筐体の外部に配されたことを特徴とする表示装置。
【請求項７】
請求項４〜６のいずれか１つに記載の太陽電池モジュール付照明装置を備えた表示装置であって、
前記表示筐体の内部には、前記内部光源により照射された光を前記情報表示部に導光する光拡散部材が備えられたことを特徴とする表示装置。
【請求項８】
外部光源により照明される情報表示部を備えた表示筐体に請求項１又は２に記載の太陽電池モジュール付照明装置が前記取付部材を介して取り付けられた表示装置であって、
前記太陽電池モジュール付照明装置の太陽電池モジュール及び照明体がともに前記表示筐体の外部に配され、前記外部光源として前記照明体が用いられたことを特徴とする表示装置。
【請求項９】
請求項８に記載の表示装置であって、
前記太陽電池モジュール付照明装置の太陽電池モジュールによって供給された電力を蓄電する蓄電池と、この蓄電池の出力を制御する充放電制御回路とが前記表示筐体に設けられたことを特徴とする表示装置。
【請求項１０】
外部光源により照明される情報表示部を備えた表示筐体に請求項３に記載の太陽電池モジュール付照明装置が前記取付部材を介して取り付けられた表示装置であって、
前記太陽電池モジュール付照明装置の太陽電池モジュール及び照明体がともに前記表示筐体の外部に配され、前記外部光源として前記照明体が用いられたことを特徴とする表示装置。
【請求項１１】
請求項４から１０のいずれか１つに記載の表示装置であって、
前記情報表示部は、前記表示筐体の側部に備えられたことを特徴とする表示装置。
【発明の詳細な説明】
【技術分野】
【０００１】
本発明は、太陽電池モジュール付照明装置及びこれを用いた表示装置に関する。
【背景技術】
【０００２】
商用電源が容易に準備できない環境において、太陽電池等の再生可能エネルギーを利用した街灯、広告塔といった照明装置や、この照明装置を用いた表示装置が提案されている。これらの装置は、主に太陽電池モジュール、照明体、蓄電池、充放電制御回路といった部品によって構成され、太陽電池が受ける太陽光エネルギーを電力として利用することや、電力を蓄電池に蓄積し、蓄積した電力を夜間に利用することが可能である。
【０００３】
従来、看板広告、バス停といった表示装置には、例えば、特許文献１に開示された表示装置内部に光源を設ける内照式の表示装置や、特許文献２に開示された外部から表示装置を照らす外照式の表示装置が存在する。
【０００４】
まず、図８を用いて特許文献１に記載の表示装置を説明する。図８は、特許文献１の表示装置を示す斜視図である。
【０００５】
特許文献１には、太陽電池モジュールを使用した表示装置が開示されている。この表示装置１００は、太陽電池モジュール１０３と、太陽電池モジュール１０３の主面を所定の角度に傾けた状態で保持する保持部１０４と、保持部１０４が取り付けられ、バス停情報等を表示する表示部１０１ａを備えた表示筐体１０１と、表示筐体１０１の下部に配された収容体１０６と、表示筐体１０１と収容体１０６との両側部に取付けられ、地面に立設される支柱１０２とが設けられた表示装置である。表示筐体１０１の内部には、表示部１０１ａの上端から下端までの長さに一致する陰極管１０５が備えられており、収容体１０６の内部には、太陽電池モジュール１０３によって供給された電力を蓄電する蓄電池１０７、蓄電池１０７の出力を制御する充放電制御回路１０８とが備えられている。
【０００６】
このようになる表示装置１００は、日中、太陽電池モジュール１０３の主面に太陽光が照射されると電力を発生させ、充放電制御回路１０８によって蓄電池１０７に電力を蓄えることができる。夜間になると蓄電池１０７に蓄えられた電力を使用するように充放電制御回路１０８が働き、陰極管１０５が発光する。表示筐体１０１の内部に備える陰極管１０５が発光することにより、表示部１０１ａが内部照射される。これより、夜間でも表示部１０１ａの視認性を向上させることができる。
【０００７】
また、上記の特許文献と異なった方式の表示装置として、特許文献２には太陽電池モジュールを用いた外照式の表示装置が開示されている。
【０００８】
図９を用いて、特許文献２に記載された表示装置を説明する。図９は特許文献２の表示装置を示す斜視図である。
【０００９】
この表示装置２００は、バス標識等の被照射体２０５に取り付けられる照明装置であって、太陽電池モジュール２０２と、太陽電池モジュール２０２を保持する装置本体２０１とが設けられており、装置本体２０１の内部には、太陽電池モジュール２０２を電源として発光する光源２０３を備え、装置本体２０１には、被照射体２０５に取付けるための取付部２０４を備えたものである。
【００１０】
このようになる表示装置２００は、光源２０３から出射された光が、被照射体２０５に向けて照射されるので、被照射体２０５の視認性を向上させることができる。
【００１１】
ところで、従来、上記したような表示装置の他に、例えば特許文献３には、太陽電池モジュールと蓄電池、充放電制御回路が一体形成されている照明装置が開示されている。図１０を用いて特許文献３に記載された太陽電池照明装置を説明する。図１０は、特許文献３の太陽電池照明装置を示す斜視図である。
【００１２】
この太陽電池照明装置３００は、太陽電池モジュール３０１と、太陽電池モジュール３０１の主面を所定の角度に傾けた状態で、太陽電池モジュール３０１の裏面に設置される収納体３０２と、収納体３０２の底面に設置し地面に立設される柱体３０５と、柱体３０５に備えられる照明体３０６とが設けられた照明装置であり、収納体３０２の内部には、太陽電池モジュール３０１によって発電された電力を蓄える蓄電池３０３と、蓄電池３０３を制御する充放電制御回路３０４とが備えられた照明装置である。
【００１３】
このようになる太陽電池照明装置３００は、柱体３０５と収納体３０２とが容易に取外し可能である。よって、収納体３０２に設置された太陽電池モジュール３０１や、収納体３０２の内部に備える蓄電池３０３等の部品の保守、点検、組立てを容易に行うことができる。
【先行技術文献】
【特許文献】
【００１４】
【特許文献１】特開２０００−３０５４９８号公報
【特許文献２】特開２００５−９３１３７号公報
【特許文献３】特開２００３−２７３３８７号公報
【発明の概要】
【発明が解決しようとする課題】
【００１５】
しかしながら、特許文献１〜３に開示されている照明装置および表示装置では、次のような不都合があった。
【００１６】
すなわち、特許文献１や特許文献２に開示された表示装置にあっては、それぞれ照明の方式が内照式又は外照式のいずれか一方に限られていることから、例えば、設置環境等、諸条件に応じて内照式を外照式に変更したり或いは外照式を内照式に変更したりするといったことは望めなかった。また、特許文献１に開示された表示装置では、太陽電池モジュール１０３と表示筐体１０１と陰極管１０５が個別に組み立てられているため、組み立て工数が多いといった不都合があった。一方、特許文献３に開示された照明装置では、柱体３０５と収納体３０２とを容易に取外すことが可能であり、照明装置の保守、点検、組立てを容易に行うことができるが、いわゆる据え置きの照明装置であり、設置場所が地面に限定されているため、設置場所に関しての汎用性がないといった不都合があった。。
【００１７】
本発明は、かかる点に鑑みてなされたものであり、その目的とするところは、街路灯から表示筐体に至るまで、いかなる支持物にも取付可能な汎用性を備え、しかも外照方式、内照方式いずれにも対応することができる太陽電池モジュール付照明装置及びこれを用いた表示装置を提供することにある。
【課題を解決するための手段】
【００１８】
上記目的を達するために、本発明は次のとおりの構成としている。
【００１９】
本発明に係る太陽電池モジュール付照明装置は、太陽電池モジュールと、前記太陽電池モジュールを支持物に取り付ける取付部材と、前記太陽電池モジュールから供給される電力で点灯する照明体とを有する太陽電池モジュール付照明装置であって、前記太陽電池モジュールが前記取付部材の一端側に設けられ、前記照明体が前記取付部材の他端側に設けられたこと特徴とする。
【００２０】
本発明の太陽電池モジュール付照明装置によれば、支持物に取り付けられる取付部材を備えているため設置箇所に関して汎用性があり、どのような支持物にも取り付けることができる。
【００２１】
上記の太陽電池モジュール付照明装置にあっては、前記取付部材は、相互に摺動可能に且つ任意の姿勢で固定可能に連結された少なくとも２つの分割体から構成されたものであってもよい。
【００２２】
この場合、取付部材が伸縮可能であるため、分割体に取り付けられた照明体の位置調整を自在に行うことができる。
【００２３】
上記の太陽電池モジュール付照明装置にあっては、太陽電池モジュールには、前記太陽電池モジュールによって供給された電力を蓄電する蓄電池と、前記蓄電池の出力を制御する充放電制御回路とを備えたものであってもよい。
【００２４】
この場合、外部電源を必要としない完全に独立した太陽電池モジュール付照明装置とすることができる。
【００２５】
本発明に係る表示装置は、内部光源により照明される情報表示部を備えた表示筐体に上記の太陽電池モジュール付照明装置が前記取付部材を介して取り付けられた表示装置であって、前記内部光源として前記太陽電池モジュール付照明装置の照明体が用いられるとともに、太陽電池モジュール付照明装置の太陽電池モジュールが前記表示筐体の外部に配されたものである。
【００２６】
このような構成であるから、表示筐体の内部に備えられた照明体が発光すると、表示筐体に備えられた表示部が照らされ、表示部の視認性が向上する。
【００２７】
上記の表示装置にあっては、前記太陽電池モジュール付照明装置の太陽電池モジュールによって供給された電力を蓄電する蓄電池と、この蓄電池の出力を制御する充放電制御回路とが前記表示筐体に設けられたものであってもよい。
【００２８】
この場合、表示筐体の内部スペースを有効に活用し、外部電源を必要としない完全に独立した太陽電池モジュール付照明装置を用いた表示装置とすることができる。
【００２９】
上記の表示装置にあっては、前記表示筐体の内部には、前記内部光源により照射された光を前記情報表示部に導光する光拡散部材が備えられたものであってもよい。
【００３０】
この場合、表示筐体内部に発生した光を効率よく情報表示部に導光することができる。
【００３１】
本発明に係る表示装置は、外部光源により照明される情報表示部を備えた表示筐体に上記の太陽電池モジュール付照明装置が前記取付部材を介して取り付けられた表示装置であって、前記太陽電池モジュール付照明装置の太陽電池モジュール及び照明体がともに前記表示筐体の外部に配され、前記外部光源として前記照明体が用いられたものである。
【００３２】
このような構成であるから、表示筐体の外部に備える照明体が発光すると、表示筐体に備える表示部が照らされ、表示筐体の表示部の視認性を向上させることができる。
【００３３】
上記の表示装置にあっては、前記太陽電池モジュール付照明装置の太陽電池モジュールによって供給された電力を蓄電する蓄電池と、この蓄電池の出力を制御する充放電制御回路とが前記表示筐体に設けられたものであってもよい。
【００３４】
この場合、表示筐体の内部スペースを有効に活用し、外部電源を必要としない完全に独立した太陽電池モジュール付照明装置を用いた表示装置とすることができる。
【００３５】
上記の表示装置にあっては、前記情報表示部は、前記表示筐体の側部に備えられたものであってもよい。
【発明の効果】
【００３６】
本発明の太陽電池モジュール付照明装置は、支持物に取り付けられる取付部材を備えているため設置箇所に関して汎用性があり、どのような支持物にも取り付けることができる。
【００３７】
また本発明に係る太陽電池モジュール付き照明装置を用いた表示装置は、どのような場所にも取り付け可能な汎用性を備え、しかも、外照方式、内照方式のいずれの照明方式にも対応することができる。
【図面の簡単な説明】
【００３８】
【図１】本発明の一実施の形態に係る太陽電池モジュール付照明装置の正面図である。
【図２】本発明の一実施の形態に係る太陽電池モジュール付照明装置の取付部材の一例を示し、（ａ）は要部拡大断面図、（ｂ）は伸張状態にある部分断面図、（ｃ）は縮退状態にある部分断面図である。
【図３】図１に示した太陽電池モジュール付照明装置を支持物に取り付けた一例を示す側面図である。
【図４】図３に示した太陽電池モジュール付照明装置の取付例における取付部分を示す部分拡大断面図である。
【図５】本発明に係る太陽電池モジュール付照明装置を用いた表示装置の一例を示す正面図である。
【図６】図５に示す表示装置の内部構造を示す一部切欠正面図である。
【図７】本発明に係る太陽電池モジュール付照明装置を用いた表示装置の他の例を示す部分斜視図である。
【図８】特許文献１の表示装置を示す斜視図である。
【図９】特許文献２の表示装置を示す斜視図である。
【図１０】特許文献３の太陽電池電源装置を示す斜視図である。
【発明を実施するための形態】
【００３９】
以下、本発明の一実施の形態について図１乃至図４を参照しながら説明する。
【００４０】
図１は、本発明の一実施の形態に係る太陽電池モジュール付照明装置の正面図である。図２は、本発明の一実施の形態に係る太陽電池モジュール付照明装置の取付部材の一例を示し、（ａ）は要部拡大断面図、（ｂ）は伸張状態にある部分断面図、（ｃ）は縮退状態にある部分断面図である。図３は、図１に示した太陽電池モジュール付照明装置を支持物に取り付けた一例を示す側面図である。図４は、図３に示した太陽電池モジュール付照明装置の取付例における取付部分を示す部分拡大断面図である。
【００４１】
この太陽電池モジュール付照明装置１は、支持物１８に取り付けられる取付部材１２と、この取付部材１２の一端側に設けられた太陽電池モジュール１０と、取付部材１２の他端側に設けられ、太陽電池モジュール１０から供給される電力で点灯する照明体１５とを備える。
【００４２】
太陽電池モジュール１０は、太陽電池セル１０ａが所定の架台上に面一となるように敷設されている。太陽電池セル１０ａの表面には、接着剤である充填剤を介して保護ガラス板が備えられている。太陽電池セル１０ａの裏面には、充填材を介してバックシートが備えられている。これらを加熱真空ラミネート工程にて真空中で熱をかけてプレスすることにより、太陽電池モジュール１０が形成されている。ラミネートされた太陽電池モジュール１０の裏面には、バックシートから引き出された出力ケーブルを連結する端子ボックスが接着固定されている。
【００４３】
太陽電池モジュール１０の外周縁部には、太陽電池セル１０ａへの防湿を目的とした端面封止部材が太陽電池モジュール１０の外周縁部を囲むように巻き付けられ、端面封止部材を介してアルミ製の枠フレーム１０ｆが取り付けられている。ここで、太陽電池モジュール１０の枠フレーム１０ｆの内部には、太陽電池モジュール１０により発電した電力を蓄える蓄電池と、蓄電池に充電された電力を出力制御する充放電制御回路とが備えられていてもよい。
【００４４】
太陽電池モジュール１０の裏面には、バックシートを覆うようにベースプレート１０ｈが取り付けられる。ベースプレート１０ｈは、３０°〜４５°の間の所定の角度に傾斜した状態で、フランジ部材１１により保持されている。フランジ部材１１は、取付部材１２の上端に設置されている。ここで、ベースプレート１０ｈは、放熱特性向上のためアルミ製が望ましい。
【００４５】
取付部材１２は、相互に摺動可能に且つ任意の姿勢で固定可能に連結された少なくとも２つの分割体から構成される。本実施の形態の分割体は、太陽電池モジュール１０が上端に設置された第一分割体１２ｄ１と、照明体１５が下端に設置された第二分割体１２ｄ２との２つの分割体から構成される。ここで、分割体は２つに限らず、３つ以上であってもよい。また、第一分割体１２ｄ１、第二分割体１２ｄ２ともに円筒形状であることが望ましい。その場合、取付時に取付部材１２をその軸心周りに回動させて太陽電池モジュール１０の向きを容易に調整することができる。照明体１５は、全方向に発光するボール形状のＬＥＤ電球が、消費電力及び発光寿命の点並びに照射範囲が広い点から望ましい。なお、取付部材１２は、必ずしも複数の分割体から構成される必要はなく、一つの部材から構成されていてもよい。また、取付部材１２は、図２（ｂ）又は図２（ｃ）に示したような直管状に限らず、クランク状や円弧状であってもよい。
【００４６】
第一分割体１２ｄ１は、下端が開口された筒体であり、その側面には、長手方向に沿う案内スリット１２ａ１と、この案内スリット１２ａ１の上端から周方向に沿う係止スリット１２ａ２とが、当該第一分割体１２ｄ１の中心軸を挟んで１８０°対称となる位置に形成されている。なお、案内スリット１２ａ１及び係止スリット１２ａ２は、上記したような２箇所に限られず、１箇所でも、或いは３箇所以上であってもかまわない。
【００４７】
第二分割体１２ｄ２は、上端が開口された筒体であり、上記第一分割体１２ｄ１の内径と略等しいか或いはやや小さい外径を有し、上端部が第一分割体１２ｄ１内に挿入されている。この第二分割体１２ｄ２の上端寄りの側面には、第一分割体１２ｄ１の案内スリット１２ａ１に対応した位置に、案内スリット１２ａ１内及び係止スリット１２ａ２内をスライドするネジ付ボス１４が取り付けられている。よって、案内スリット１２ａ１に沿ってネジ付ボス１４をスライドさせることで、第二分割体１２ｄ２が第一分割体１２ｄ１内を摺動する。その結果、第二分割体１２ｄ２に設けられた照明体１５を所望のレベルに調節することができる。また、レベル調整後、ネジ付ボス１４を締め付けることで第一分割体１２ｄ１と第二分割体１２ｄ２とを所望のレベルで固定することができる。ここで、例えば、運搬時や保管時等において第二分割体１２ｄ２を第一分割体１２ｄ１内に最も縮退させた場合、第一分割体１２ｄ１又は第二分割体１２ｄ２のいずれか一方をその中心軸周りに回動させて、ネジ付ボス１４を係止スリット１２ａ２内に導入し、その位置でネジ付ボス１４を締め付けることにより、両分割体１２ａ１，１２ａ２を相互に固定することができる。なお、係止スリット１２ａ２は、例えば、案内スリット１２ａ１に沿って複数箇所に亘り等間隔で形成されていてもよい。その場合、所望のレベルにある係止スリット内にネジ付ボス１４を導入するとともに締め付けておくことで、レベル調整後に不測にネジ付ボス１４が緩むようなことがあっても、第二分割体１２ｄ２のレベルがずれるのを防ぐことができる。
【００４８】
次に、上記の太陽電池モジュール付照明装置を、支持物の一例として地上に立設された支柱に取り付け、街路灯として使用する場合について、図３、図４を参照しながら説明する。ここで、支持物は、支柱、街路灯に限らず、電柱やバススタンド、建物など太陽電池モジュールが取り付け支持されるものであればどのようなものでも構わない。
【００４９】
図３は、図１に示した太陽電池モジュール付照明装置を支持物である支柱に取り付けた状態を示す側面図である。図４は、図３に示した太陽電池モジュール付照明装置の取付例における取付部分を示す部分拡大断面図である。
【００５０】
この太陽電池モジュール付照明装置１の取付部材１２には、その第一分割体１２ｄ１に、ネジからなる４個の突起部１２ｂが同一円周上に等間隔で設けられている。これら突起部１２ｂの配設箇所は、フランジ部材１１と上記両スリット１２ａ１，１２ａ２との間とされている。なお、突起部１２ｂの数は４個に限らず、１個以上有していればよい。また、突起部１２ｂはネジに限られず、例えばボスやピンでもよく、或いは取付部材１２の外周面に沿う連続又は不連続なフランジでもよい。
【００５１】
支持物１８には、その上端部に水平方向に突出した取付用腕部１８ａが備えられており、この取付用腕部１８ａに太陽電池モジュール付照明装置１がその取付部材１２を介して取り付けられる。以下、その取付態様の一例について説明する。
【００５２】
取付用腕部１８ａには、その先端部に、取付部材１２の第一分割体１２ｄ１の外径と略等しいかやや大きい内径の貫通孔１８ａ１が設けられている。一方、第一分割体１２ｄ１には、予め固定リング１２ｃが外嵌された後に突起部１２ｂが取り付けられている。ここで、固定リング１２ｃは、中央部に第一分割体１２ｄ１が挿通される挿通孔１２ｃ１を備え、下面が突起部１２ｂと当接するドーナツ状の係止板１２ｃ２と、この係止板１２ｃ２の外周縁から垂設されたスカート部１２ｃ３と、このスカート部１２ｃ３の下端縁から外方に向けて上記係止板１２ｃ２と平行に延設されたフランジ部１２ｃ４とから構成されたものである。突起部１２ｂと当接する係止板１２ｃ２の下面とフランジ部１２ｃ４の下面との距離Ｈは、突起部１２ｂの高さ寸法ｈと略等しくされている。このようになる固定リング１２ｃが外嵌された取付部材１２が、取付用腕部１８ａの貫通孔１８ａ１に、その上方から挿入される。取付部材１２の第一分割体１２ｄ１には、上述したように、その外周面に４個の突起部１２ｂが設けられていることから、それら突起部１２ｂが取付用腕部１８ａの貫通孔１８ａ１の上端開口縁と当接する。その状態で、取付部材１２を回転させることにより、太陽電池モジュール１０が太陽光と対峙するような姿勢に調整される。この状態で固定リング１２ｃのフランジ部１２ｃ４がボルト１２ｅにより取付用腕部１８ａの上面に固定される。これにより、取付部材１２の突起部１２ｂが固定リング１２ｃの係止板１２ｃ２により押さえ込まれることとなり、取付部材１２が取付用腕部１８ａにボルト固定される。ここで、固定リング１２ｃは上述したようにスカート部１２ｃ３を備えているため、取付部材１２の突起部１２ｂがスカート部１２ｃ３により完全に覆われ、取付部材１２と取付用腕部１８ａとの固定部分の化粧が施されることとなる。なお、取付部材１２と取付用腕部１８ａとの取付態様は上記した例に限るものではない。
【００５３】
以上説明したように、本発明に係る太陽電池モジュール付照明装置は、支持物１８に容易に取り付けることが可能である。なお、取付対象は、上記の実施の形態に示したような街灯用支柱に限られず、例えばビルなどの建築物の壁面などにも容易に取り付けることができる。
【００５４】
次に、本発明に係る太陽電池モジュール付照明装置を用いた表示装置の一例について、図５、図６を参照しながら説明する。
【００５５】
図５は、表示装置の一例を示す正面図である。図６は、図５の表示装置の内部構造を示した一部切欠正面図である。
【００５６】
この例における表示装置は、表示筐体２０の情報表示部２０ｂがその内側に設けられた内部光源により照明される内照式のものであり、その内部光源として上記の太陽電池モジュール付照明装置１の照明体１５が用いられたものである。
【００５７】
太陽電池モジュール付照明装置１は、上記した実施の形態と同様のものであって、また、表示筐体２０への取付態様も上記の図３及び図４で示した例と同様である。すなわち、表示筐体２０の上面には、取付部材１２の外径と略等しいかやや大きい内径の貫通孔が設けられており、この貫通孔に、取付部材１２が挿入されるとともに突起部１２ｂが表示筐体２０の上面に当接されている。この状態で、固定リング１２ｃにより取付部材１２が表示筐体２０の上面に固定されている。これにより取付部材１２の下端の照明体１５は、表示筐体２０の内部に配置されることとなる。また、取付部材１２は、上述したように、分割体で構成されており伸縮可能であるため、照明体１５を情報表示部２０ｂを照明するのに最適な位置に調整することができる。
【００５８】
表示筐体２０の内部には、太陽電池モジュール付照明装置１の太陽電池モジュール１０から供給された電力を蓄電する蓄電池１６と、この蓄電池１６の出力を制御する充放電制御回路１７とが設けられている。なお、表示筐体２０の内部に蓄電池１６と充放電制御回路１７を設けない場合は、太陽電池モジュール１０の裏面に、蓄電池１６と充放電制御回路１７とが設けられていてもよい。
【００５９】
また、表示筐体２０の内部には、情報表示部２０ｂを除いて、照明体１５から発光された光を拡散させる光拡散部材２１が設けられていてもよい。この場合、照明体１５の光を光拡散部材２１によって効率よく情報表示部２０ｂに導光することができる。
【００６０】
次に、本発明に係る太陽電池モジュール付照明装置を用いた表示装置の他の例について、図７を参照しながら説明する。
【００６１】
図７は、表示装置の他の例を示す部分斜視図である。
【００６２】
この例における表示装置は、表示筐体２０の情報表示部２０ｂがその外側に設けられた外部光源により照明される外照式のものであり、その外部光源として上記の太陽電池モジュール付照明装置１の照明体１５が用いられたものである。なお、図７において、上述した実施の形態と同一の構成要素については、同一符合を付している。
【００６３】
太陽電池モジュール付照明装置１は、上記した実施の形態と同様のものであって、また、表示筐体２０への取付態様も上記の図３及び図４で示した例と同様である。すなわち、表示筐体２０の上面に支持物１８が立設されるとともに、この支持物１８に取付用腕部１８ａが水平方向に延設され、この取付用腕部１８ａに、太陽電池モジュール付表示装置１がその取付部材１２を介して取り付けられている。これにより取付部材１２の下端の照明体１５は、表示筐体２０の外部に配置されることとなる。また、取付部材１２は、上述したように、分割体１２ｄ１，１２ｄ２で構成されており伸縮可能であるため、照明体１５を情報表示部２０ｂを照明するのに最適な位置に調整することができる。
【００６４】
また、表示筐体２０の内部に、上記内照式の表示装置と同様、太陽電池モジュールによって供給された電力を蓄電する蓄電池と、この蓄電池の出力を制御する充放電制御回路とが表示筐体２０に設けられていてもよい。表示筐体２０の内部に蓄電池と充放電制御回路を設けない場合であっても、太陽電池モジュール１０の裏面に、蓄電池と充放電制御回路とが設けられていてもよい。
【符号の説明】
【００６５】
１  照明装置
２  表示装置
１０  太陽電池モジュール
１２  取付部材
１２ｄ１  第一分割体
１２ｄ２  第二分割体
１５  照明体
１６  蓄電池
１７  充放電制御回路
１８  支持物
２０  表示筐体
２０ｂ  情報表示部
２１  光拡散部材
【図１】
2013045716.tif 000003
【図２】
2013045716.tif 000004
【図３】
2013045716.tif 000005
【図４】
2013045716.tif 000006
【図５】
2013045716.tif 000007
【図６】
2013045716.tif 000008
【図７】
2013045716.tif 000009
【図８】
2013045716.tif 000010
【図９】
2013045716.tif 000011
【図１０】
2013045716.tif 000012